(57)【要約】      （修正有）【課題】簡単な構造で積載物を載せる載置面積を可変することができ、更に、小型の積載物でも落とすことなく安定して載置することができる一体型パレットを提供する。【解決手段】一体型パレット１は、直方体状に形成され、上面１０ａに積載面１１と、正面１０ｂにフォーク挿入口１２と、を有する外殻パレット１０と、直方体状に形成されて外殻パレット１０内に摺動可能に収納され、上面２０ａに積載面２１と、正面２０ｂにフォーク挿入口２２と、を有する内蔵パレット２０と、内蔵パレット２０の変位を外殻パレット１０に対し所定の位置で留めるストッパ部と、を備え、外殻パレット１０内への内蔵パレット２０の収納時に、外殻パレット１０のフォーク挿入口１２と内蔵パレット２０のフォーク挿入口２２とが重なり合うように配置されている。【選択図】図３
0003226522.tif 000002
【実用新案登録請求の範囲】
【請求項１】
直方体状に形成され、上面に積載面と、正面にフォーク挿入口と、を有する外殻パレットと、
直方体状に形成されて前記外殻パレット内に摺動可能に収納され、上面に積載面と、正面にフォーク挿入口と、を有する内蔵パレットと、
前記内蔵パレットの変位を前記外殻パレットに対し所定の位置で留めるストッパ部と、
を備え、
前記外殻パレット内への前記内蔵パレットの収納時に、前記外殻パレットのフォーク挿入口と前記内蔵パレットのフォーク挿入口とが重なり合うように配置されている一体型パレット。
【請求項２】
前記外殻パレットの積載面は連続面で構成されている、請求項１に記載の一体型パレット。
【請求項３】
前記内蔵パレットの積載面も連続面で構成されている、請求項１に記載の一体型パレット。
【請求項４】
前記ストッパ部は、前記外殻パレットの一部に設けられ、
前記内蔵パレットの前記ストッパ部に対向する位置には、ストッパ受部が設けられ、
前記内蔵パレットが前記外殻パレットから所定の位置へ引き出されて前記ストッパ受部が前記ストッパ部で留められた際に、前記内蔵パレットのフォーク挿入口が前記外殻パレットから外へ露出するようにした、請求項１から３のいずれか１項に記載の一体型パレット。
【請求項５】
前記外殻パレットの側面に前記内蔵パレットを収納するパレット収納口が設けられ、
前記パレット収納口に前記内蔵パレットを引き出すための凹み部が設けられている、請求項１から４のいずれか１項に記載の一体型パレット。
【請求項６】
前記内蔵パレットの側面にもフォーク挿入口が設けられている、請求項１から５のいずれか１項に記載の一体型パレット。
【考案の詳細な説明】
【技術分野】
【０００１】
本考案は、一体型パレットに関する。
【背景技術】
【０００２】
貨物（積載物）が載る積載面の載置面積を調整できる寸法可変パレットとして、特許文献１に開示されたものがある。この特許文献１に記載の寸法可変パレットは、主パレットと、この主パレットに移動可能に設けられた補助パレットと、を備えている。そして、主パレットに対して補助パレットを外側へ移動することにより、載置面積が拡大できるようになっている。
【先行技術文献】
【特許文献】
【０００３】
【特許文献１】特開平１１−２９１４５号公報
【考案の概要】
【考案が解決しようとする課題】
【０００４】
しかしながら、前記従来の寸法可変パレットでは、主パレットと補助パレットの各積載面が間隔をあけて配置された複数の桟を組み合わせることで構成されているため、全体の構造が複雑である。また、複数の桟の間には隙間があるため、積載物を安定して載せることが難しく、積載物が小物の場合には、複数の桟間の隙間より積載物が落ちる虞がある。
【０００５】
本考案は、このような従来技術が有する課題に鑑みてなされたものである。そして本考案の目的は、簡単な構造で積載物を載せる載置面積を可変することができ、更に、小型の積載物でも落とすことなく安定して載置することができる一体型パレットを提供することにある。
【課題を解決するための手段】
【０００６】
本考案の態様に係る一体型パレットは、直方体状に形成され、上面に積載面と、正面にフォーク挿入口と、を有する外殻パレットと、直方体状に形成されて前記外殻パレット内に摺動可能に収納され、上面に積載面と、正面にフォーク挿入口と、を有する内蔵パレットと、前記内蔵パレットの変位を前記外殻パレットに対し所定の位置で留めるストッパ部と、を備え、前記外殻パレット内への前記内蔵パレットの収納時に、前記外殻パレットのフォーク挿入口と前記内蔵パレットのフォーク挿入口とが重なり合うように配置されているものである。
【０００７】
前記外殻パレットの積載面は連続面で構成されていることが好ましい。
【０００８】
前記内蔵パレットの積載面も連続面で構成されていることが好ましい。
【０００９】
前記ストッパ部は、前記外殻パレットの一部に設けられ、前記内蔵パレットの前記ストッパ部に対向する位置には、ストッパ受部が設けられ、前記内蔵パレットが前記外殻パレットから所定の位置へ引き出されて前記ストッパ受部が前記ストッパ部で留められた際に、前記内蔵パレットのフォーク挿入口が前記外殻パレットから外へ露出するようにすることが好ましい。
【００１０】
前記外殻パレットの側面に前記内蔵パレットを収納するパレット収納口が設けられ、前記パレット収納口に前記内蔵パレットを引き出すための凹み部が設けられていることが好ましい。
【００１１】
前記内蔵パレットの側面にもフォーク挿入口が設けられていることが好ましい。
【考案の効果】
【００１２】
本考案によれば、簡単な構造で積載物を載せる載置面積を可変することができ、更に、小型の積載物でも落とすことなく安定して載置することができる一体型パレットを提供することができる。
【図面の簡単な説明】
【００１３】
【図１】本考案の実施形態に係る一体型パレットの一例を示す斜視図である。
【図２】（ａ）は上記一体型パレットの平面図、（ｂ）は同一体型パレットの内蔵パレットを引き出した状態を示す平面図である。
【図３】上記一体型パレットの内蔵パレットを引き出した状態を示す斜視図である。
【図４】上記一体型パレットの側面図である。
【図５】図４中Ｖ−Ｖ線に沿う断面図である。
【図６】上記一体型パレットの内蔵パレットを引き出した状態を示す断面図である。
【考案を実施するための形態】
【００１４】
以下、図面を用いて本考案の実施形態に係る一体型パレットについて詳細に説明する。
【００１５】
図１は本考案の実施形態に係る一体型パレットの一例を示す斜視図である。図２（ａ）は一体型パレットの平面図である。図２（ｂ）は一体型パレットの内蔵パレットを引き出した状態を示す平面図である。図３は一体型パレットの内蔵パレットを引き出した状態を示す斜視図である。図４は一体型パレットの側面図である。図５は図４中Ｖ−Ｖ線に沿う断面図である。図６は一体型パレットの内蔵パレットを引き出した状態を示す断面図である。
【００１６】
図１〜図６に示すように、一体型パレット１は、扁平な直方体状でプラスチック製の外殻パレット１０と、この外殻パレット１０内に摺動可能に収納される扁平な直方体状でプラスチック製の内蔵パレット２０と、を備えている。
【００１７】
図１、図６に示すように、外殻パレット１０は、上面１０ａに積載面１１と、正面１０ｂにフォークリフトのフォーク等が差し込まれる一対のフォーク挿入口１２，１２と、一側面１０ｄに内蔵パレット２０を収納するパレット収納口１３と、を有する。
【００１８】
図１、図５に示すように、外殻パレット１０の積載面１１は、平面状の連続面で構成されていて、中型の物品等の積載物Ａや小型の物品等の積載物Ｂ等が安定した状態で載置されるようになっている。
【００１９】
図２（ｂ）、図６に示すように、外殻パレット１０の各フォーク挿入口１２は、正面横長の矩形状に形成されていて、背面１０ｃ側まで貫通するように形成されている。
【００２０】
また、図３〜図５に示すように、外殻パレット１０のパレット収納口１３の上部の両側には、内蔵パレット２０を引き出すための凹み部１４が一対設けられている。さらに、外殻パレット１０の天井壁（一部）の内面には、矩形切り欠き状のストッパ部１５が一対設けられている。この各ストッパ部１５は、内蔵パレット２０の引き出し量（変位）を外殻パレット１０に対し所定の位置（例えば、外殻パレット１０から２／３の位置）で留めるものである。
【００２１】
図３、図６に示すように、内蔵パレット２０は、上面２０ａに積載面２１と、正面２０ｂにフォークリフトのフォーク等が差し込まれる一対のフォーク挿入口２２，２２と、一側面２０ｄにフォーク等が差し込まれる一対のフォーク挿入口２３，２３と、を有する。
【００２２】
図３、図６に示すように、内蔵パレット２０の積載面２１は、平面状の連続面で構成されていて、大型の物品等の積載物Ｃの片側が高さ調整部材Ｄ等を介して安定した状態で載置されるようになっている。
【００２３】
図２（ｂ）、図３、図６に示すように、内蔵パレット２０の各フォーク挿入口２２は、正面横長の矩形状に形成されていて、背面２０ｃ側まで貫通するように形成されている。さらに、図２（ｂ）、図３、図４に示すように、内蔵パレット２０の各フォーク挿入口２３は、側面横長の矩形状に形成されていて、他側面２０ｄ側まで貫通するように形成されている。
【００２４】
また、図３〜図５に示すように、内蔵パレット２０の上面２０ａの外殻パレット１０の一対の凹み部１４，１４に対向する位置には、内蔵パレット２０を引き出すための凹部を有した引出部２４が一対設けられている。そして、図３に示すように、外殻パレット１０の一側面１０ｄから内蔵パレット２０を引き出す際に、凹み部１４に作業者が手を入れて引出部２４を掴んで引っ張り出すことで、外殻パレット１０内から内蔵パレット２０が摺動自在に引き出されるようになっている。
【００２５】
図５、図６に示すように、内蔵パレット２０の上面２０ａの他側面２０ｄの一対のストッパ部１５に対向する位置には、ストッパ受部２５が一対設けられている。図６に示すように、一対のストッパ受部２５，２５が外殻パレット１０の一対のストッパ部１５，１５に当たって留められることで、外殻パレット１０に対する内蔵パレット２０の引き出し量(変位量）が規制されるようになっている。
【００２６】
そして、図１、図５に示すように、外殻パレット１０内への内蔵パレット２０の収納時には、外殻パレット１０の各フォーク挿入口１２と内蔵パレット２０の各フォーク挿入口２２とが重なり合って同じ位置に位置するように配置されるようになっている。
【００２７】
また、図３、図６に示すように、内蔵パレット２０が外殻パレット１０から引き出されてストッパ受部２５がストッパ部１５で留められた際に、内蔵パレット２０の図３中右側の一方のフォーク挿入口２２が外殻パレット１０から外へ露出している。この場合、内蔵パレット２０の図３中左側の他方のフォーク挿入口２２は、外殻パレット１０から外へ完全に露出していない。
【００２８】
以上実施形態の一体型パレット１によれば、図４、図５に示すように、内蔵パレット２０を収納した外殻パレット１０の積載面１１は、平面になっていて隙間がない。よって、外殻パレット１０の積載面１１に小型の積載物Ｂを置いても落ちることがなく、積載面１１に安定した状態で小型の積載物Ｂを載置することができる。この場合には、外殻パレット１０と内蔵パレット２０の各正面１０ｂ，２０ｂの同位置にある各一対のフォーク挿入口１２，１２、２２，２２にフォークリフトの一対のフォークを差し込むことで、外殻パレット１０の積載面１１に積載物Ａ，Ｂを載せて運搬できる。さらに、内蔵パレット２０の一側面２０ｄにある一対のフォーク挿入口２３，２３にフォークリフトの一対のフォークを差し込むことでも、外殻パレット１０の積載面１１に積載物Ａ，Ｂを載せて運搬でき、パレットとしての使い勝手が良い。
【００２９】
また、一体型パレット１に大型の積載物Ｃを載せてフォークリフトにより運搬する場合には、図３、図６に示すように、外殻パレット１０のパレット収納口１３から内蔵パレット２０を引き出すことで、一体型パレット１の積載面積（載置面積）を簡単に拡張できる。そして、フォークリフトの一方のフォークを外殻パレット１０の一方のフォーク挿入口１２に差し込み、フォークリフトの他方のフォークを内蔵パレット２０の他方のフォーク挿入口２２に差し込むことで、大型の積載物Ｃを簡単に運搬できる。さらに、使用しない場合は、外殻パレット１０内に内蔵パレット２０を収納することで、省スペースで保管することができ、コンパクトで扱い易いパレットになる。つまり、保管スペースに限度があっても、大型のパレットとして一体型パレット１を使用することができる。
【００３０】
このように、一体型パレット１の内蔵パレット２０を外殻パレット１０内に引き出し自在にしたことで、簡単な構造で積載物を載せる載置面積を可変することができ、更に、小型の積載物Ｂでも落とすことなく安定した状態で載置することができる。
【００３１】
また、外殻パレット１０内から内蔵パレット２０を引き出すと、の上面２０ａの他側面２０ｄの一対のストッパ部１５に対向する位置には、内蔵パレット２０のストッパ受部２５が外殻パレット１０のストッパ部１５に当たって留められる。これにより、外殻パレット１０内から内蔵パレット２０が余分に引き出されることがなく、外殻パレット１０内からの内蔵パレット２０の分離を確実に防止することができる。
【００３２】
以上、本実施形態を説明したが、本実施形態はこれらに限定されるものではなく、本実施形態の要旨の範囲内で種々の変形が可能である。
【００３３】
すなわち、前記実施形態によれば、各パレットはプラスチック製であるが、木製等でも良い。
【００３４】
また、前記実施形態によれば、内蔵パレットの側面にフォーク挿入口を設けたが、構造を簡単にするために、内蔵パレットの側面にフォーク挿入口を設けなくても良い。
【００３５】
さらに、前記実施形態によれば、外殻パレットにストッパ部を設けると共に、内蔵パレットにストッパ受部を設けたが、内蔵パレットにストッパ部を設けると共に、外殻パレットにストッパ受部を設けても良い。
【符号の説明】
【００３６】
１  一体型パレット
１０  外殻パレット
１０ａ  上面
１０ｂ  正面
１０ｄ  側面
１１  積載面
１２  フォーク挿入口
１３  パレット収納口
１４  凹み部
１５  ストッパ部
２０  内蔵パレット
２０ａ  上面
２０ｂ  正面
２０ｄ  側面
２１  積載面
２２  フォーク挿入口
２３  フォーク挿入口
２５  ストッパ受部
【図１】
0003226522.tif 000003
【図２】
0003226522.tif 000004
【図３】
0003226522.tif 000005
【図４】
0003226522.tif 000006
【図５】
0003226522.tif 000007
【図６】
0003226522.tif 000008